(57)【要約】【課題】  薄くて軽量・廉価で構造部材をも兼ねた熱遮断効率の良い建築用パネルを提供する。【解決手段】  板材表面に熱遮断性塗料を塗布して断熱塗装層を形成し、更に必要に応じてその表面に仕上材層を形成した基板を用いて適用範囲の広い熱遮断性建築用パネルとする。【選択図】図２
2005146811.tif 000002
【特許請求の範囲】
【請求項１】
板材表面に胴縁を適宜間隔で取り付け、熱遮断性塗料を塗布したことを特徴とした建築用パネル。
【請求項２】
板材が合板またはペーパーコア材である請求項１記載の建築用パネル。
【請求項３】
熱遮断性塗料がセラミック微粒子を含む請求項１記載の建築用パネル。
【請求項４】
板材の裏面には難燃性塗膜を施した請求項１記載の建築用パネル。
【請求項５】
表面および／または裏面に熱遮断性塗料を塗布した板材を外壁構造部材、内壁部材または屋根部材の外装面および／または内装面に適用したことを特徴とする建築用パネル。
【発明の詳細な説明】
【技術分野】
【０００１】  本発明は板材に熱遮断性塗料層を設けることにより、薄くて軽量で廉価で、かつ加工容易性、施工容易性を伴った建築パネルに関するものである。
【背景技術】
【０００２】  建築において断熱性を持たせる場合、外壁構造部においては施工時に内装部材と外装部材との中間空隙部に合成樹脂発泡部材やグラスウール等を収納して断熱層を形成したり、発泡スチロール、発泡ウレタン、発泡ポリエチレン等の断熱性合成樹脂により成形した発泡性パネル材を木質板と併用して断熱壁部を構成していた。【０００３】屋根部にあっては、壁構造部と同様手段を採ったりあるいは天井裏部分に、グラスウール、発泡スチロール等の断熱マットを敷設することにより、断熱効果を得るのが一般的であった。
【発明の開示】
【発明が解決しようとする課題】
【０００４】  しかし、上記のような従来の断熱構造、断熱方法では、断熱適用部材において、例えば少なくとも４５から１００ｍｍ程度の厚みが必要とされ、また、断熱マット等の付加部材を必要とすることとなり、施工工程も増え、結果的に工期が長くなり、建築費用もかさむこととなる。
【課題を解決するための手段】
【０００５】  板材表面および／または裏面に熱遮断性塗料を塗布した建築用パネルを建築現場で塗装作業をして製造するのではなく、工場において断熱塗膜層を形成したパネル材を製造しそれを壁構造部材、屋根部材等に使用し、また前記パネル材を壁構造部、屋根部構造部等の外装材および／または内装材に採用することにより、薄くて軽量で、さらに施工容易性を確保した熱遮断性パネルを提供することにより解決するものである。
【発明の効果】
【０００６】  本発明において熱遮断性塗料を板材に施す場合の塗膜層の厚さは０．５ｍｍ〜０．７５ｍｍ程度で充分であるので、薄くとも従来の厚みのある断熱構造と同等以上の高い効果を得ることができる。【０００７】  この熱遮断性パネル材は熱遮断性塗料の塗装工程を工場段階において完了しており、建築現場で塗装作業を行なう必要がないので、塗装作業者を現場に派遣しなくて済み、また天候に左右される工期の遅れを考慮することなく施工スケジュール調整がし易くなる。【０００８】  すでに断熱塗装層を設けたパネル材を使用しているので、一般の板材と同じ扱いで運搬作業、建築作業をすることができ、建築作業完了時点において壁構造部、屋根構造部、その他の本発明パネル材適用構造部が断熱効果を伴ったものとして完成しているので断熱作業工程が省略化され、さらに本発明パネルが構造材を兼ねているので、構造部作業の手間も省ける。【０００９】  本発明によれば建築物の各部を建築後に断熱塗装を施す場合の隅部塗装作業の厄介さ、あるいは隠れ部塗装作業の工程手順を考慮する煩わしさ、等が解消されるものである。【００１０】  さらに、薄型、軽量化による運搬容易性、取扱い容易性、等の利点の他、現場塗装作業不要の工場生産のため廉価製造が可能となり、建築コストの低減化が図れる。【００１１】  また、極寒冷地住宅建築にあっては従来型のポリウレタンフォーム、グラスウール等を利用した断熱構造との併用をすることも当然可能であり、これにより従来型の数倍の保温断熱効果を得ることができる。【００１２】  このように本発明の熱遮断パネルによれば、建築物の内部温度を外気温度から極めて効率的に遮断することができるので、結露防止、冷暖房費の節約、省エネルギー化を図ることができ、ひいては地球環境エコロジーにも寄与することとなる。
【発明を実施するための最良の形態】
【００１３】  本発明に使用する熱遮断性塗料は、中空部を有するセラミック微粒子を配合したものであり、この中空セラミック微粒子は火山灰等のシラスバルーン、シリコンビーズ等から成るものであり、これら中空セラミック微粒子はその熱伝導率の低さにより、塗料に配合した場合、極めて効果的な熱遮断性を発揮する。【００１４】  熱遮断性塗料としては、たとえば、テンプコート、テンプワン、スーパーサーム、サーモシールド、セラミックカバー、クールサーム、パラサーモ等の商標で一般に流通しているものを採用しても良い。【００１５】  本発明のパネル材を利用した壁部構成において、従来は、内装部材と外装部材との中間空隙部に発泡ポリウレタン部材やグラスウール等を収納して断熱層を形成したので、その場合の壁部厚さが４５ｍｍ〜１００ｍｍ程度となっていた。【００１６】  あるいは発泡スチロール、発泡ウレタン、発泡ポリエチレン等の断熱性合成樹脂により成形した発泡パネル材を木質板と併用して断熱壁部を構成していたため、その壁部厚さは６０ｍｍ程度となっていた。【００１７】  本発明の平面断面図である図１においては、１２ｍｍの厚みを持つリブ胴縁５を取り付けた１２ｍｍ厚のパネル基板３表面に熱遮断性塗料により０．２５ｍｍ厚塗装を２回施し、１０ｍｍ厚程度の仕上げ材６を前記リブ胴縁５に取り付けて合計３４．５ｍｍ厚の熱遮断性建築用材を構成しており、これにより従来型断熱構造と同等以上の断熱効果を期待できるものである。【００１８】  前期建築用熱遮断性パネルの適用対象としては住宅以外にも利用でき、倉庫、工場、等、あるいは地域的特性の必要に応じて、周知の延焼遅延剤（難燃剤）、防カビ剤を適宜併用しても良いことは言うまでもない。
【実施例１】
【００１９】  １２ｍｍ厚合板３にエアスプレー、ローラー、ロールコーター、カーテンフロー、刷毛塗り等により熱遮断性塗料を０．２５ｍｍ厚で２回塗りを施し、熱遮断塗装層４を形成して熱遮断性建築用材１の塗装パネル２を製造する。【００２０】  あるいはこの合板３表面に胴縁５を適宜間隔で設けた後に熱遮断塗料を塗装して図３のリブパネル１１を製造し、このリブパネル１１に仕上材６を取り付けて熱遮断性建築用材１を製造する。
【実施例２】
【００２１】  図２は前記熱遮断性建築用材１を利用して壁構造材７を構成した例で、構造柱８の内装側には表面に熱遮断塗装層９を形成した２０ｍｍペーパーコア１０を取り付け、構造柱８外側には外装面となる前記熱遮断性建築用材１を取り付けて壁部を構成する。
【図面の簡単な説明】
【００２２】
【図１】日本発明の前記熱遮断性住宅建築用パネル材の平面断面図である。
【図２】本発明の壁構造部材の平面断面図である。
【図３】本発明のリブパネルの平面断面図である。
【符号の説明】
【００２３】１  熱遮断性住宅建築用パネル材
２  塗装パネル
３  合板
４  熱遮断層
５  リブ胴縁
６  仕上材
７  壁
８  構造柱
９  熱遮断塗装層
１０  ペーパーコア
１１  リブパネル
【図１】
2005146811.tif 000003
【図２】
2005146811.tif 000004
【図３】
2005146811.tif 000005